(57)【要約】【課題】基本構造は従来のエアマットを使用して、簡単な補助部材の導入で体圧分散効果を期待できる褥瘡予防用エアマットを実現する。【解決手段】複数のエアセルをエアマットの長手方向に配置すると共に、エアセルを交互に加圧及び減圧制御する褥瘡予防用エアマットにおいて、前記就寝者と接する上面部をマットレスで覆うと共に、当該マットレスの両端部を前記エアセルに固定する。【選択図】                    図１
2004229966.tif 000002
【特許請求の範囲】
【請求項１】
複数のエアセルをエアマットの長手方向に配置すると共に、前記エアセルを加圧及び減圧制御する褥瘡予防用エアマットにおいて、
前記就寝者と接する上面部をマットレスで覆うと共に、当該マットレスの両端部を前記エアセルに固定したことを特徴とする、褥瘡予防用エアマット。
【請求項２】
複数のエアセルをエアマットの長手方向に配置すると共に、前記エアセルを加圧及び減圧制御する褥瘡予防用エアマットにおいて、
前記就寝者の特定箇所と接する上面部を部分的にマットレスで覆うと共に、当該マットレスの両端部を前記エアセルに固定したことを特徴とする、褥瘡予防用エアマット。
【請求項３】
複数箇所で前記マットレスを前記エアセルに固定したことを特徴とする、請求項１又は２記載の褥瘡予防用エアマット。
【請求項４】
前記マットレスとエアセルの固定は、ベルクロ手段により着脱可能としたことを特徴とする、請求項１乃至３のいずれかに記載の褥瘡予防用エアマット。
【請求項５】
前記マットレスとして、低反発マットレスを用いることを特徴とする、請求項１乃至４のいずれかに記載の褥瘡予防用エアマット。
【請求項６】
前記マットレスとして、反発性の異なる複数のマットレスを継ぎ合わせて用いることを特徴とする、請求項１乃至４のいずれかに記載の褥瘡予防用エアマット。
【請求項７】
前記複数のマットレスの継ぎ合わせ部分を、ベルクロ手段により着脱可能としたことを特徴とする、請求項６記載の褥瘡予防用エアマット。
【発明の詳細な説明】
【０００１】
【発明の属する技術分野】
本発明は、複数の筒状エアセルをエアマットの長手方向と直交方向に隣接配置すると共に、互いに隣接する前記エアセルを交互に加圧及び減圧制御する褥瘡予防用エアマットの機能改善に関する。
【０００２】
【従来の技術】
図６は、特許文献で開示されている複数の筒状エアセルを用いた褥瘡予防用エアマットとこれを使用する就寝者との関係を示す側面図である。１はエアマット上面に横臥する就寝者、２ａ１，２ａ２，…２ａｎは、褥瘡予防機能を有するエアマットのＡ系統エアセル群、２ｂ１，２ｂ２，…２ｂｎは、同様に褥瘡予防機能を有するエアマットのＢ系統エアセル群である。
【０００３】
Ａ系統とＢ系統のエアセルは、交互にエアマットの長手方向と直交方向に互いに隣接して配置されている。Ａ系統エアセル群とＢ系統エアセル群は、Ａ系統導圧管３ａ及びＢ系統導圧管３ｂを介して加圧装置４により所定の周期で交互に加圧及び減圧操作される。５は、加圧装置の操作を指令する制御部である。６はカバーであり、エアセル群及び導圧管を有するエアマット全体を包んでいる。
【０００４】
図示の状態は、Ａ系統エアセル群が加圧されて膨張状態であり、Ｂ系統エアセル群が減圧されて収縮状態を示している。このように隣接するエアセルが交互に膨張、収縮を繰り返す操作により、就寝者の背部に圧力のかかる部位を交互に替えることで褥瘡を予防している。
【０００５】
【特許文献】
特開平７−１８４７４７「エアーベッド」
【０００６】
【発明が解決しようとする課題】
図７は、就寝者１の背部に接する膨張状態のエアセルからの圧力分布の説明図である。膨張状態のＡ系統エアセル群の各エアセルと就寝者１の背部とはＰ１及びＰ２の２箇所で接している。膨張しているエアセルに体が接触する部分は背中部分の約１／２となるので、体圧が集中する。体圧が集中すれば就寝者にごろごろ感を与え快適な睡眠環境の阻害要因となるので、体圧分散が必要である。
【０００７】
就寝者１は通常のエアマット使用状態ではカバー６の上に毛布やマットレスを敷くが、これらの仲介要素があってもエアセルの形状変化に忠実に従うので、体圧分散効果が期待できない。特に体圧分散を要する部分のエアセルを更に細分化し複雑な加圧減圧操作をすることも可能であるが、装置が複雑化しコスト面で実現困難である。
【０００８】
本発明の目的は、基本構造は従来のエアマットを使用して、簡単な補助部材の導入で体圧分散効果を期待できる褥瘡予防用エアマットを実現することにある。
【０００９】
【課題を解決するための手段】
このような目的を達成するための本発明の構成は次の通りである。
（１）複数のエアセルをエアマットの長手方向に配置すると共に、前記エアセルを加圧及び減圧制御する褥瘡予防用エアマットにおいて、
前記就寝者と接する上面部をマットレスで覆うと共に、当該マットレスの両端部を前記エアセルに固定したことを特徴とする、褥瘡予防用エアマット。
【００１０】
（２）複数のエアセルをエアマットの長手方向に配置すると共に、前記エアセルを加圧及び減圧制御する褥瘡予防用エアマットにおいて、
前記就寝者の特定箇所と接する上面部を部分的にマットレスで覆うと共に、当該マットレスの両端部を前記エアセルに固定したことを特徴とする、褥瘡予防用エアマット。
【００１１】
（３）複数箇所で前記マットレスを前記エアセルに固定したことを特徴とする、請求項１又は２記載の褥瘡予防用エアマット。
【００１２】
（４）前記マットレスとエアセルの固定は、ベルクロ手段により着脱可能としたことを特徴とする、請求項１乃至３のいずれかに記載の褥瘡予防用エアマット。
【００１３】
（５）前記マットレスとして、低反発マットレスを用いることを特徴とする、請求項１乃至４のいずれかに記載の褥瘡予防用エアマット。
【００１４】
（６）前記マットレスとして、反発性の異なる複数のマットレスを継ぎ合わせて用いることを特徴とする、請求項１乃至４のいずれかに記載の褥瘡予防用エアマット。
【００１５】
（７）前記複数のマットレスの継ぎ合わせ部分を、ベルクロ手段により着脱可能としたことを特徴とする、請求項６記載の褥瘡予防用エアマット。
【００１６】
【発明の実施の形態】
以下本発明実施態様を、図面を用いて説明する。図１は本発明を適用した褥瘡予防用エアマットの使用状態の一例を示す側面図であり、図２で説明した従来例の要素と同一要素には同一符号を付して説明を省略する。
【００１７】
本発明の特徴は、就寝者と接するエアマット上面部を補助部材として導入するマットレスで覆うと共に、当該マットレスの両端部をエアセルに固定した点にある。
【００１８】
図１において、１０は補助部材として導入されたマットレスであり、就寝者１と接するエアマット上面部に配置され、その一端部１０ａが接着剤１１を介してエアセル群の一方の端部に位置するＡ系統エアセル２ａ１に固定され、他端部１０ｂが接着剤１２を介してエアセル群の他方の端部に位置するＢ系統エアセル２ｂｎに固定されている。
【００１９】
本発明に使用されるマットレス１０は、通常のクッション特性を有する市販品で良いが、低反発マットレスとして特定用途向けに開発されたクッション特性を有するものを導入することで、圧力分散効果をより高めることができる。
【００２０】
本発明のポイントは、マットレス１０の両端部をエアセルに固定する構造にある。単純にマットレスをエアマット上面部に配置する構造では、従来技術で説明したように、マットレスがエアセル群の上面形状に忠実に変形して圧力分散効果が期待できない。両端を固定することで、就寝者の使用状態でマットレスに長手方向の張力が発生し、この作用で圧力分散が行われる。
【００２１】
図２は、従来技術で説明した図７と対比して示した就寝者１の背部に接する膨張状態のエアセルからの圧力分布の説明図である。膨張状態のＡ系統エアセル群の各エアセルと就寝者１の背部とはＰ１１，Ｐ１２，Ｐ１３及びＰ２１，Ｐ２２，Ｐ２３のように複数箇所に分散するので、従来の１／２に比較して各段に多い体圧分散がおこなわれる。
【００２２】
マットレス１０の両端部のエアセルへの固定手段は、接着剤１１及び１２を示したが、この他にテープ、両面テープを用いることができる。更に固定手段としてベルクロ（マジックテープ（登録商標））を用いることで、マットレス１０とエアセル間を着脱可能構造とすることができる。
【００２３】
マットレス１０のエアセルへの固定箇所は、マットレス１０の両端部を含む複数箇所であってもよく、固定箇所の個数及びピッチにより特定箇所（褥瘡が発生しやすい位置）の圧力分散を高める等の調節をすることが可能である。
【００２４】
図３の実施形態は、就寝者の特定箇所（褥瘡の発生しやすい場所）と接するエアマット上面部を部分的にマットレス１０で覆うと共に、当該マットレスの両端部１０ａ及び１０ｂをその両端部に近接するエアセルに接着剤１１及び１２を介して固定した構造である。このような構造では、マットレス１０として前述の低反発マットレスの採用が有効である。固定手段及び固定箇所に関しては図１の実施形態と同様である。
【００２５】
図４の実施形態は、マットレスとして、反発性の異なる複数のマットレスを継ぎ合わせて用いる構造を特徴としている。通常のマットレス１０の途中において就寝者の特定箇所（褥瘡の発生しやすい場所）と接する領域を低反発マットレス１３としたものであり、図１に比較して構造は複雑となるが、圧力分散効果はより高くなる。固定手段及び固定箇所に関しては図１の実施形態と同様である。
【００２６】
複数のマットレスを継ぎ合わせる手法は、接着剤又はテープによる固定の他、図５の側面図に示すように、通常のマットレス１０と低反発マットレス１３の継ぎ合わせ部分を、ベルクロ１４及び１５により着脱可能とする構造でもよい。
【００２７】
マットレスとエアセルとの固定箇所は、マットレスの両端部１０ａ及び１０ｂを含まない複数箇所の固定であってもよい。
【００２８】
以上説明した実施形態では、エアセルとして筒状のエアセルを示したが、２枚重ねウレタンフィルムの所定エリアを高周波溶着又は超音波溶着して任意形状のエアセルを形成したエアマットであってもよい。
【００２９】
更に加圧及び減圧制御は必ずしも隣り合うエアセルを交互に制御するものではなく、複数をまとめて加圧又は減圧制御したり、加圧するエアセルの個数と減圧するエアセルの個数を異ならせる制御であってもよい。
【００３０】
【発明の効果】
以上説明したことから明らかなように、本発明によれば次のような効果を期待することができる。
（１）極めて簡単な補助部材の導入で基本構造は従来のエアマットを使用して、有効な体圧分散を実現することができ、低コストでより快適な介護環境を提供することが可能である。
（２）褥瘡が発生しやすい特定部位に対して重点的に体圧分散させる構造を容易に実現することができる。
（３）マットレスと褥瘡予防用エアマットとが固定されて一体となっているので、従来のようにマットレスを敷くだけの使用状態に比較してマットレスがずれることがなく、快適な就寝が可能となる。
（４）ベルクロ手段の導入により、マットレスの取り外しが可能となるので、使用者または使用者の褥瘡状態に応じて、クッションの違う低反発マットレスまたは通常のマットレスに切り替えることが可能である。
【図面の簡単な説明】
【図１】本発明を適用した褥瘡予防用エアマットの使用状態の一例を示す側面図である。
【図２】図１において、就寝者の背部に接する膨張状態のエアセルからの圧力分布の説明図である。
【図３】本発明の他の実施形態である、褥瘡予防用エアマットの使用状態を示す側面図である。
【図４】本発明の更に他の実施形態である、褥瘡予防用エアマットの使用状態を示す側面図である。
【図５】反発特性の異なる複数のマットレスを継ぎ合わせる手法の一例を示す側面図である。
【図６】特許文献で開示されている複数の筒状エアセルを用いた褥瘡予防用エアマットとこれを使用する就寝者との関係を示す側面図である。
【図７】図６において、就寝者の背部に接する膨張状態のエアセルからの圧力分布の説明図である。
【符号の説明】
１  就寝者
２ａ１，２ａ２，…２ａｎ  Ａ系統エアセル群
２ｂ１，２ｂ２，…２ｂｎ  Ｂ系統エアセル群
３ａ  Ａ系統導圧管
３ｂ  Ｂ系統導圧管
４  加圧装置
５  制御部
６  カバー
１０マットレス
１０ａ  マットレス一端部
１０ａ  マットレス他端部
１１  接着剤
１２  接着剤
【図１】
2004229966.tif 000003
【図２】
2004229966.tif 000004
【図３】
2004229966.tif 000005
【図４】
2004229966.tif 000006
【図５】
2004229966.tif 000007
【図６】
2004229966.tif 000008
【図７】
2004229966.tif 000009